(57)【要約】【課題】照明器具において、透光パネルに輝度ムラを生じることがなく透光パネルの輝度の均斉度を高めることができる。【解決手段】照明器具１は、器具本体２と、器具本体２に保持されるランプである直管形蛍光灯３と、直管形蛍光灯３を覆い光を透過する透光パネル４と、直管形蛍光灯３と透光パネル４との間に直管形蛍光灯３の前面に対応して設置され、直管形蛍光灯３からの直接光を拡散する拡散カバー５とを備える。拡散カバー５は、拡散カバー５に設けられた突起部５２を器具本体２に設けられた固定用穴２３に係合させることにより、直管形蛍光灯３からの光が透光パネル４から均斉化されて出射されるように器具本体２に所定の取付姿勢で固定される。【選択図】図１
2006294352.tif 000002
【特許請求の範囲】
【請求項１】
器具本体と、前記器具本体に保持されるランプを覆い光を透過する透光パネルとを備えた照明器具において、
前記ランプと透光パネルとの間に前記ランプ前面に対応して設置され、前記ランプからの直接光を拡散する拡散カバーを備え、
該拡散カバーは、前記ランプからの光が前記透光パネルから均斉化されて出射されるように前記器具本体に所定の取付姿勢で固定されることを特徴とする照明器具。
【請求項２】
前記拡散カバーは、前記器具本体に設けられた固定用金具を介して前記器具本体に固定されることを特徴とする請求項１に記載の照明器具。
【請求項３】
前記拡散カバーは、該拡散カバーに設けられた突起部を前記器具本体に設けられた固定用穴に係合させて前記器具本体に固定されることを特徴とする請求項１に記載の照明器具。
【請求項４】
前記拡散カバーは、断面形状が馬蹄形状であり、かつ、前記ランプの端部を開放する形状であることを特徴とする請求項１乃至請求項３のいずれかに記載の照明器具。
【発明の詳細な説明】
【技術分野】
【０００１】
本発明は、照明器具に関するものである。
【背景技術】
【０００２】
従来から、居室内の照明として使用される照明器具や、標識、看板等として使用される照明器具は、器具本体と、器具本体に保持される複数の直管状のランプと、ランプを覆いランプからの光を透過する乳白色の透光パネルとを備えている。このような照明器具では、ランプから透光パネルまでの距離がランプ間の間隔に対して短すぎると、又は、ランプ間の間隔がランプから透光パネルまでの距離に対して広すぎると、透光パネルにランプイメージが浮かび上がってしまい、透光パネルに輝度ムラを生じてしまう。
【０００３】
そこで、ランプの本数を増やすことなく透光パネルに輝度ムラを生じさせないようにするために、ランプと透光パネルとの間にランプからの光を拡散する拡散カバーを設けた照明器具が知られている（例えば、特許文献１参照）。
【０００４】
特許文献１に記載の照明器具は、ランプの前方に出射される光を拡散カバーで制限することにより、ランプから透光パネルに照射される光を均斉化し、これにより、ランプから透光パネルまでの距離を短くしても、透光パネルに輝度ムラを生じないようにするものである。
【０００５】
また、特許文献１に記載の拡散カバーは、ランプの周面に添う半割円筒状の弾性透明板に黒色インクを点線状に印刷したものであり、ランプの前面側にあてがって押し込むことにより、弾性変形して、ランプに長手方向の全体に被着されるようになっている。拡散カバーの黒色インクは、周方向の中央部位が最も密で、周方向の両側縁に至るに連れて粗になっており、拡散カバーは、周方向の中央部位が透光パネルの正面を向いた姿勢となるようにランプに被着される。ランプからの光は、拡散カバーの黒色インクにより遮光されて、ランプの前方に出射される光が制限され、これにより、ランプから透光パネルに照射される光が均斉化される。
【特許文献１】特開平１０−６４３１８号公報
【発明の開示】
【発明が解決しようとする課題】
【０００６】
しかしながら、上述した特許文献１に記載の照明器具においては、拡散カバーは、弾性変形してランプに被着されるものであるため、取付姿勢が一義的に定まらない。このため、拡散カバーが所定の取付姿勢（周方向の中央部位が透光パネルの正面を向いた姿勢）からずれた姿勢で取付けられたり、既に取付けられている拡散カバーがメンテナンス時や振動などの原因により所定の取付姿勢からずれることがある。拡散カバーの黒色インクは周方向の中央部位が最も密になっているため、このように拡散カバーが所定の取付姿勢からずれてしまうと、ランプから透光パネルに照射される光が均斉化されず、透光パネルに輝度ムラを生じてしまう。また、拡散カバーはランプの長手方向の全体に被着されるため、放熱効果が悪く、ランプ出力が低下する虞がある。
【０００７】
本発明は、上記課題を解決するためになされたものであり、透光パネルに輝度ムラを生じることがなく透光パネルの輝度の均斉度を高めることができる照明器具を提供することを目的とする。
【課題を解決するための手段】
【０００８】
上記目的を達成するために請求項１の発明は、器具本体と、器具本体に保持されるランプを覆い光を透過する透光パネルとを備えた照明器具において、ランプと透光パネルとの間にランプ前面に対応して設置され、ランプからの直接光を拡散する拡散カバーを備え、該拡散カバーは、ランプからの光が透光パネルから均斉化されて出射されるように器具本体に所定の取付姿勢で固定されるものである。
【０００９】
請求項２の発明は、請求項１に記載の照明器具において、拡散カバーは、器具本体に設けられた固定用金具を介して器具本体に固定されるものである。
【００１０】
請求項３の発明は、請求項１に記載の照明器具において、拡散カバーは、該拡散カバーに設けられた突起部を器具本体に設けられた固定用穴に係合させて器具本体に固定されるものである。
【００１１】
請求項４の発明は、請求項１乃至請求項３のいずれかに記載の照明器具において、拡散カバーは、断面形状が馬蹄形状であり、かつ、ランプの端部を開放する形状であるものである。
【発明の効果】
【００１２】
請求項１の発明によれば、ランプと透光パネルとの間の拡散カバーによって、ランプから透光パネルに照射される光が均斉化される。従って、ランプから透光パネルまでの距離を短くしても、透光パネルに輝度ムラを生じることがなく透光パネルの輝度の均斉度を高めることができ、これにより、照明器具を薄型化できると共にエネルギー効率を向上できる。また、ランプを複数備える構成にあっては、ランプの本数を少なくしてランプ間の間隔を広くしても、透光パネルに輝度ムラを生じることがなく透光パネルの輝度の均斉度を高めることができ、省エネルギー化できる。
【００１３】
しかも、拡散カバーは器具本体に所定の取付姿勢で固定されるようになっているため、拡散カバーが所定の取付姿勢からずれた姿勢で取付けられることがなく、また、既に取付けられている拡散カバーがメンテナンス時や振動などの原因により所定の取付姿勢からずれることがない。このため、ランプから透光パネルに照射される光をより確実に均斉化することができ、透光パネルの輝度の均斉度をより一層高めることができる。
【００１４】
請求項２の発明によれば、拡散カバーは器具本体に設けられた固定用金具を介して器具本体に固定されるため、拡散カバーの取付け、取外しが容易である。
【００１５】
請求項３の発明によれば、拡散カバーは拡散カバーの突起部を器具本体の固定用穴に係合させて器具本体に固定されるため、拡散カバーの取付け、取外しが容易である。
【００１６】
請求項４の発明によれば、ランプの端部が拡散カバーから開放されるため、放熱効果が高く、ランプ出力の低下を防ぐことができる。また、拡散カバーはランプの端部を開放する形状であるため、複数のランプの端部同士を重ねて複数のランプを長手方向に連結する構成においても、ランプ毎に拡散カバーを設けて対応することが可能である。
【発明を実施するための最良の形態】
【００１７】
以下、本発明を具体化した実施形態による照明器具について図面を参照して説明する。図１、図２は、照明器具の構成を示す。照明器具１は、屋内の天井や壁面等に取付けて屋内照明として使用され、又は、屋外に設置されて標識や看板等として使用される器具であり、器具本体２と、器具本体２に保持されるランプである直管形蛍光灯３と、直管形蛍光灯３からの光を透過する透光パネル４と、透光パネル４の輝度を均斉化するための拡散カバー５とを備えている。照明器具１は、直管形蛍光灯３から光を放射し、その光を拡散カバー５で拡散して透光パネル４から出射する。
【００１８】
器具本体２は、直管形蛍光灯３を接続保持する蛍光灯ソケット２１と、直管形蛍光灯３から放射された光を反射する蛍光灯裏反射板２２と、拡散カバー５を器具本体２に固定するための固定用穴２３とを有している。蛍光灯ソケット２１は、器具本体２の前面に突出して設けられている。蛍光灯裏反射板２２は、器具本体２の前面の蛍光灯ソケット２１間（すなわち直管形蛍光灯３の裏側）に設置されており、蛍光灯ソケット２１の並び方向に沿って中央部が突出する山型になっている。固定用穴２３は、器具本体２の前面の複数個所に形成されている。
【００１９】
直管形蛍光灯３は、器具本体２の蛍光灯ソケット２１に着脱自在に接続保持されて、器具本体２の前面側で蛍光灯裏反射板２２の前方に配置されている。透光パネル４は、例えば乳白色の透光性を有する樹脂により形成されており、直管形蛍光灯３を覆うように器具本体２に着脱自在に取付けられている。
【００２０】
拡散カバー５は、直管形蛍光灯３と透光パネル４との間に設置されて、直管形蛍光灯３からの光（すなわち直管形蛍光灯３からの直接光、及び反射板３からの反射光）を拡散するものである。この拡散カバー５は、透明なアクリルにより形成されており、光を拡散させる光拡散部５１と、拡散カバー５を器具本体２に固定するための突起部５２とを有している。また、拡散カバー５は、直管形蛍光灯３を覆う形状をしており、その長さが直管形蛍光灯３よりも短く、断面形状が馬蹄形状になっている。
【００２１】
光拡散部５１は、光を拡散させるための例えば黒色のドット印刷が施されて成っており、そのドット印刷は、拡散カバー５の周方向の中央部位でドットが最も大きく、周方向の両側縁に至るに連れてドットが小さくなっている。従って、拡散カバー５は、周方向の中央部位で光の拡散度が最も高く、周方向の両側縁に至るに連れて光の拡散度が低くなっている。突起部５２は、拡散カバー５の周方向の両端縁の複数個所に設けられている。
【００２２】
このような構成の拡散カバー５は、突起部５２を器具本体２の固定用穴２３に係合させることにより、所定の取付姿勢（光拡散度の最も高い部位（周方向の中央部位）が透光パネル４の正面を向いた姿勢）で器具本体２に固定される。拡散カバー５を所定の取付姿勢で器具本体２に固定した状態では、直管形蛍光灯３と拡散カバー５との間に隙間が形成され、直管形蛍光灯３の両端部は拡散カバー５から開放される。また、上述のように拡散カバー５の光拡散度は周方向の中央部位で最も高く周方向の両側縁に至るに連れて低くなっているため、拡散カバー５を所定の取付姿勢で器具本体２に固定した状態では、直管形蛍光灯３からの光は、拡散カバー５により均斉化されて透光パネル４から出射される。
【００２３】
図３は、上記拡散カバー５の器具本体２への取付構造を示す。拡散カバー５の器具本体２への取付けは、透光パネル４を取外して直管形蛍光灯３を取付けた状態で、以下のようにして行われる。まず、拡散カバー５の突起部５２付近を拡散カバー５の両外側から手で摘み、突起部５２を拡散カバー５の内側に僅かに変位させた状態で、突起部５２を器具本体２の固定用穴２３に差し込む。そして、突起部５２を固定用穴２３に差し込んだ状態で、拡散カバー５を摘んでいた手を放す。これにより、拡散カバー５の突起部５２は、変位していた状態から元の状態に戻って、器具本体２に係合され、拡散カバー５が所定の取付姿勢で器具本体２に固定される。
【００２４】
このようにして器具本体２に固定された拡散カバー５は、その後も、その取付姿勢が保たれる。また、拡散カバー５の取外しは、器具本体２に固定されている透光カバー５の突起部５２付近を両外側から手で摘んで、突起部５２を拡散カバー５の内側に僅かに変位させ、突起部５２を器具本体２の固定用穴２３から抜き取ることにより行われる。
【００２５】
このような構成の照明器具１によれば、直管形蛍光灯３と透光パネル４との間に設置される拡散カバー５によって、直管形蛍光灯３から透光パネル４に照射される光が均斉化される。従って、透光パネル４に輝度ムラを生じることがなく、透光パネル４の輝度の均斉度を高めることができる。
【００２６】
しかも、拡散カバー５の突起部５２を器具本体２の固定用穴２３に係合させることにより拡散カバー５が所定の取付姿勢で器具本体２に固定される構造であるため、拡散カバー５が所定の取付姿勢からずれた姿勢で取付けられることがなく、また、既に取付けられている拡散カバー５がメンテナンス時や振動などの原因により所定の取付姿勢からずれることがない。従って、拡散カバー５の光拡散部５１と透光パネル４とが所定の位置関係からずれることがなく、直管形蛍光灯３から透光パネル４に照射される光をより確実に均斉化することができ、透光パネル４の輝度の均斉度をより一層高めることができる。
【００２７】
また、拡散カバー５を手で摘んで突起部５２を固定用穴２３に差し込むだけで拡散カバー５を器具本体２に取付できると共に、拡散カバー５を手で摘んで突起部５２を固定用穴２３から抜くだけで拡散カバー５を器具本体２から取外せるため、拡散カバー５の取付け、取外しに工具を必要とせず、拡散カバー５の取付け、取外しが容易である。
【００２８】
さらに、直管形蛍光灯３の両端部が拡散カバー５から開放されるため、放熱効果が高まってランプ出力の低下を防ぐことができると共に、直管形蛍光灯３の両端部の暗がり部から放射される光が拡散されずに透光パネル４の輝度の均斉度をより一層高めることができる。また、直管形蛍光灯３の裏側に放射された光が蛍光灯裏反射板２２で透光パネル４側に反射されることにより、透光パネル４の輝度を向上させることができる。
【００２９】
図４は、拡散カバー５の別の取付構造を示す。拡散カバー５は、上記図１乃至図３の構成における突起部５２に代えて、係合孔５３が形成されており、器具本体２は、上記図１乃至図３の構成における固定用穴２３に代えて、固定用金具２４が設けられている。固定用金具２４は、弾性を持ち、拡散カバー５の係合孔５３に係合される係合突部２４ａを有している。拡散カバー５及び器具本体２の他の構成については、上記図１乃至図３の構成と同様である。
【００３０】
拡散カバー５は、係合孔５３に固定用金具２４の係合突部２４ａを係合させることにより、上記図１乃至図３の構成と同様に、所定の取付姿勢（周方向の中央部位が透光パネル４の正面を向いた姿勢）で器具本体２に固定される。
【００３１】
拡散カバー５の器具本体２への取付けは、以下のようにして行われる。まず、固定用金具２４間の間隔を手で僅かに押し広げて、拡散カバー５を固定用金具２４間に差し込む。そして、固定用金具２４間の間隔を押し広げていた手を放し、拡散カバー５を固定用金具２４間に差し込んだ状態で位置調整して、拡散カバー５の係合孔５３と固定用金具２４の係合突部２４ａとを合わせる。これにより、押し広げられた状態にあった固定用金具２４が元の状態に戻って、拡散カバー５の係合孔５３に固定用金具２４の係合突部２４ａが係合され、拡散カバー５が所定の取付姿勢で器具本体２に固定される。また、拡散カバー５の取外しは、固定用金具２４間の間隔を手で僅かに押し広げて、拡散カバー５を抜き取ることにより行われる。
【００３２】
このような拡散カバー５の取付構造によれば、拡散カバー５の係合孔５３に器具本体２の固定用金具２４を係合させることにより拡散カバー５が所定の取付姿勢で器具本体２に固定される構造であるため、上記図１乃至図３の構成と同様に、拡散カバー５が所定の取付姿勢からずれた姿勢で取付けられることがなく、また、既に取付けられている拡散カバー５がメンテナンス時や振動などの原因により所定の取付姿勢からずれることがない。従って、上記図１乃至図３の構成と同様に、透光パネル４（上記図１、図２参照）の輝度の均斉度をより一層高めることができる。
【００３３】
また、このような拡散カバー５の取付構造によっても、上記図１乃至図３の構成と同様に、拡散カバー５の取付け、取外しに工具を必要とせず、拡散カバー５の取付け、取外しが容易である。なお、拡散カバー５を備えていない既設の照明器具で透光パネル４の輝度ムラが気になる場合に、既設の照明器具の器具本体に固定用金具２４を鉄板ビス等により取付けて、拡散カバー５を取付けるようにしてもよい。
【００３４】
図５は、照明器具１の応用例を示す。この照明器具１は、２本の直管形蛍光灯３を用い、透光パネル４の長さＬを６３０ｍｍ、器具厚さＴを８０ｍｍとした光パネルユニットである。２本の直管形蛍光灯３は、２列に平行に配置されており、それらの間隔（ランプピッチ）Ｓを２７５ｍｍとしている。２本の直管形蛍光灯３には、ＦＨＦ１６ｗランプを用いている。各直管形蛍光灯３の裏側には、蛍光灯裏反射板２２が設置され、２本の直管形蛍光灯３の間には、蛍光灯間反射板２７が設置されている。
【００３５】
透光カバー５は、各直管形蛍光灯３の前面に対応して、直管形蛍光灯３毎に設置されている。各透光カバー５は、上記図１乃至図３の構成と同様であり、上記図１乃至図３の構成と同様に、拡散カバー５の突起部５２を器具本体２に係合させることにより、所定の取付姿勢（光拡散度の最も高い部位が透光パネル４の正面を向いた姿勢）で器具本体２に固定される。
【００３６】
図６は、照明器具１の別の応用例を示す。この照明器具１は、３本の直管形蛍光灯３を用い、透光パネル４の長さＬを１１００ｍｍ、透光パネル４の幅Ｗを６５９ｍｍ、器具厚さＴを１００ｍｍとしたサイン看板である。３本の直管形蛍光灯３は、３列に平行に配置されており、各直管形蛍光灯３は、器具本体２に斜めに保持されている。各直管形蛍光灯３の裏側には、蛍光灯裏反射板２２が設置され、各直管形蛍光灯３の間には、蛍光灯間反射板２７が設置されている。
【００３７】
透光カバー５は、各直管形蛍光灯３の前面に対応して、直管形蛍光灯３毎に設置されている。各透光カバー５は、上記図１乃至図３の構成と同様であり、上記図１乃至図３の構成と同様に、拡散カバー５の突起部５２を器具本体２に係合させることにより、所定の取付姿勢（光拡散度の最も高い部位が透光パネル４の正面を向いた姿勢）で器具本体２に固定される。
【００３８】
図７は、照明器具１のさらに別の応用例を示す。この照明器具１は、多数の直管形蛍光灯３を用いたサイン看板である。多数の直管形蛍光灯３は、縦横に平行に配列されている。各直管形蛍光灯３は、器具本体２に斜めに保持されており、端部同士を重ねて直管形蛍光灯３の長手方向に連結されている。各直管形蛍光灯３の間には、蛍光灯間反射板２７が設置されている。
【００３９】
透光カバー５は、各直管形蛍光灯３の前面に対応して、直管形蛍光灯３毎に設置されている。各透光カバー５は、上記図１乃至図３の構成と同様であり、上記図１乃至図３の構成と同様に、直管形蛍光灯３の両端部を開放した状態に器具本体２に固定される。拡散カバー５は直管形蛍光灯３の両端部を開放した状態に器具本体２に固定されるため、このように直管形蛍光灯３の端部同士を重ねて複数の直管形蛍光灯３を長手方向に連結する構成においても、直管形蛍光灯３毎に拡散カバー５を設けて対応することが可能である。
【００４０】
図８は、照明器具１のさらに別の応用例を示す。この照明器具１は、複数本の直管形蛍光灯３を用い、透光パネル４の長さを１２５０ｍｍ、透光パネル４の幅Ｗを８７０ｍｍ、器具厚さＴを７０ｍｍとしたサイン看板である。複数本の直管形蛍光灯３は、平行に配置されており、それらの間隔（ランプピッチ）Ｓを２７５ｍｍとし、直管形蛍光灯３から透光パネル４までの距離Ｄを２６ｍｍとしている。各直管形蛍光灯３の裏側には、蛍光灯裏反射板２２が設置され、２本の直管形蛍光灯３の間には、蛍光灯間反射板２７が設置されている。
【００４１】
透光カバー５は、各直管形蛍光灯３の前面に対応して、直管形蛍光灯３毎に設置されている。各透光カバー５は、上記図４の構成と同様であり、上記図４の構成と同様に、固定用金具２４を介して、所定の取付姿勢（光拡散度の最も高い部位が透光パネル４の正面を向いた姿勢）で器具本体２に固定される。
【００４２】
図９（ａ）（ｂ）は、拡散カバー５を備えない構成における透光パネル４の輝度分布イメージを示し、図９（ｃ）（ｄ）は、拡散カバー５を備える本発明の構成における透光パネル４の輝度分布イメージを示す。図９（ａ）（ｂ）（ｃ）（ｄ）において、色の濃淡は透光パネル４の輝度に対応しており、色が薄いほど輝度が高く、色が濃いほど輝度が低いことを示している。
【００４３】
拡散カバー５を備えない構成においては、直管形蛍光灯３の間隔Ｓが、直管形蛍光灯３から透光パネル４までの距離Ｄに対して、Ｓ≦１．５Ｄの関係を満たさないと（すなわち、Ｓ≦１．５Ｄの関係を越えて、直管形蛍光灯３の間隔Ｓを広げすぎたり、直管形蛍光灯３から透光パネル４までの距離Ｄを短くしすぎると）、透光パネル４の輝度分布は、図９（ａ）（ｂ）に示すようになる。図９（ａ）は蛍光灯裏反射２２無しの場合、図９（ｂ）は蛍光灯裏反射板２２有りの場合である。
【００４４】
図９（ａ）に示す蛍光灯裏反射２２無しの場合では、直管形蛍光灯３の前面に対応して領域４１ａ、４１ｂ、４１ｃの輝度が最も高くなると共に、領域４１ａ、４１ｂ、４１ｃとそれらの周辺領域４２との輝度差が大きくなり、直管形蛍光灯３のイメージが浮かび上がる。また、図９（ｂ）に示す蛍光灯裏反射板２２有りの場合でも、直管形蛍光灯３の前面に対応して領域４３ａ、４３ｂ、４３ｃの輝度が最も高くなると共に、領域４３ａ、４３ｂ、４３ｃとそれらの周辺領域４４との輝度差が大きくなり、直管形蛍光灯３のイメージが浮かび上がる。
【００４５】
このように、拡散カバー５を備えない構成においては、蛍光灯裏反射２２無しの場合、蛍光灯裏反射板２２有りの場合の何れにおいても、透光パネル４に直管形蛍光灯３のイメージが４１が浮かび上がって、透光パネル４に輝度ムラを生じてしまう。従って、拡散カバー５を備えない構成においては、透光パネル４の輝度分布の均斉度を重視すると、Ｓ?１．５Ｄの関係を満たすように直管形蛍光灯３の間隔Ｓを狭く（すなわち直管形蛍光灯３の本数を多く）するか、又は、Ｓ?１．５Ｄの関係を満たすように直管形蛍光灯３から透光パネル４までの距離Ｄを長く（すなわち照明器具を厚く）しなければならない。
【００４６】
これに対して、拡散カバー５を備える本発明の構成では、直管形蛍光灯３の間隔Ｓ及び直管形蛍光灯３から透光パネル４までの距離Ｄが上記拡散カバー５を備えない構成と同じでも（すなわちＳ≦１．５Ｄの関係を満たさなくても）、透光パネル４の輝度分布は、図９（ｃ）（ｄ）に示すようになる。図９（ｃ）は蛍光灯裏反射２２無しの場合、図９（ｄ）は蛍光灯裏反射板２２有りの場合である。
【００４７】
図９（ｃ）に示す蛍光灯裏反射２２無しの場合では、透光パネル４の中央付近の領域４５の輝度が最も高くなるが、直管形蛍光灯３の前面に対応する領域４６ａ、４６ｂ、４６ｃとそれらの周辺領域４７との輝度差が殆どなくなり、直管形蛍光灯３のイメージが浮かび上がらない。また、図９（ｄ）に示す蛍光灯裏反射板２２有りの場合では、直管形蛍光灯３の前面に対応して領域４８ａ、４８ｂ、４８ｃの輝度が最も高くなるが、領域４８ａ、４８ｂ、４８ｃとそれらの周辺領域４９との輝度差が小さくなり、直管形蛍光灯３のイメージが浮かび上がらない。
【００４８】
このように、拡散カバー５を備える本発明の構成においては、蛍光灯裏反射２２無しの場合、蛍光灯裏反射板２２有りの場合の何れにおいても、透光パネル４に直管形蛍光灯３のイメージが浮かび上がらず、透光パネル４に輝度ムラを生じない。従って、拡散カバー５を備える本発明の構成においては、Ｓ?１．５Ｄの関係を越えて直管形蛍光灯３の間隔Ｓを広げても（すなわち直管形蛍光灯３の本数を少なくしても）、又は、Ｓ?１．５Ｄの関係を越えて直管形蛍光灯３から透光パネル４までの距離Ｄを短くしても（すなわち照明器具を薄型化しても）、透光パネル４の輝度分布の均斉度を高めることができる。
【００４９】
なお、本発明は、上記実施形態の構成に限られず、種々の変形が可能である。例えば、拡散カバー５の器具本体２への固定構造は、上記実施形態の構造に限られず、拡散カバー５の取付姿勢が一義的に所定の取付姿勢（光拡散度の最も高い部位が透光パネル４の正面を向いた姿勢）に定まり、拡散カバー５が所定の取付姿勢からずれを生じないものであれば、どのような固定構造であってもよい。また、拡散カバー５は、直管形蛍光灯３を覆う馬蹄形状に限られず、直管形蛍光灯３と透光パネル４との間に介在される形状であれば、どのような形状であってもよい。また、拡散カバー５の光拡散部５１は、黒色のドット印刷が施されて成っているものに限られず、例えば微細な凹凸が形成されて成っているもの等、光を拡散させる機能を有していればよい。
【図面の簡単な説明】
【００５０】
【図１】本発明の一実施形態に係る照明器具の構成を示す一部破断した斜視図。
【図２】同照明器具の構成を示す断面図。
【図３】同照明器具の拡散カバーの取付構造を示す断面図。
【図４】同照明器具の拡散カバーの別の取付構造を示す断面図。
【図５】同照明器具の応用例を示す一部破断した斜視図。
【図６】（ａ）は同照明器具の別の応用例を示す一部破断した正面図、（ｂ）は同側断面図。
【図７】同照明器具のさらに別の応用例を示す一部破断した正面図。
【図８】同照明器具のさらに別の応用例を示す側断面図。
【図９】（ａ）は拡散カバーを備えない構成における蛍光灯裏反射板無しの場合の透光パネルの輝度分布を示すイメージ図、（ｂ）は同蛍光灯裏反射板有りの場合の透光パネルの輝度分布を示すイメージ図、（ｃ）は拡散カバーを備える本発明の構成における蛍光灯裏反射板無しの場合の透光パネルの輝度分布を示すイメージ図、（ｄ）は同蛍光灯裏反射板有りの場合の透光パネルの輝度分布を示すイメージ図。
【符号の説明】
【００５１】
１    照明器具
２    器具本体
３    直管形蛍光灯
４    透光パネル
５    拡散カバー
２１    蛍光灯ソケット
２２    蛍光灯裏反射板
２３    固定用穴
２４    固定用金具
２４ａ    係合突部
２７    蛍光灯間反射板
５１    光拡散部
５２    突起部
５３    係合孔
【図１】
2006294352.tif 000003
【図２】
2006294352.tif 000004
【図３】
2006294352.tif 000005
【図４】
2006294352.tif 000006
【図５】
2006294352.tif 000007
【図６】
2006294352.tif 000008
【図７】
2006294352.tif 000009
【図８】
2006294352.tif 000010
【図９】
2006294352.tif 000011